【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
（ａ）少なくとも１つの半結晶性のＬＭＷ  ＳＳＣ−ＰＰポリマーと、少なくとも１つの本質的にアモルファスのＨＭＷ  ＳＳＣ−ＰＰコポリマーとを含有するポリマーブレンドであって；前記ＬＭＷ  ＳＳＣ−ＰＰポリマー及び前記ＨＭＷ  ＳＳＣ−ＰＰコポリマーの両方がＳＳＣ触媒を用いることにより調製されるホモポリプロピレンか又はプロピレンとα−オレフィンコモノマーのコポリマーのいずれかであり；前記ポリマーブレンド中のＬＭＷ  ＳＳＣ−ＰＰポリマー対ＨＭＷ  ＳＳＣ−ＰＰポリマーの重量比が９：１〜１：９の範囲であり、本発明の組成物中のポリマーブレンドの総量が重量で約２０％〜約８０％であり；前記ＬＭＷ  ＳＳＣ−ＰＰが２３℃で約０．８６ｇ／ｃｃ〜約０．９０ｇ／ｃｃの密度、約１０，０００ｇ／ｍｏｌｅ〜約１００，０００ｇ／ｍｏｌｅの重量平均分子量、約２０℃〜約１４０℃の融点、約３０Ｊ／ｇ〜約１００Ｊ／ｇの溶解エンタルピー、約１８％〜約５０％の結晶化度、８０ｇ／１０分以上の溶融流量及び１９０℃で好ましくは約８００ｍＰａ．ｓ〜約１００，０００ｍＰａ．ｓの範囲のブルックフィールド粘度を有し；前記ＨＭＷ  ＰＰポリマーが２３℃で約０．８５ｇ／ｃｃ〜約０．８８ｇ／ｃｃの密度、１００，０００ｇ／ｍｏｌｅよりも大きい重量平均分子量、融点がないか又は約２０℃〜約１２０℃の残留物融点、約０Ｊ／ｇ〜約３０Ｊ／ｇの溶解エンタルピー、約０％〜約１８％の結晶化度及び２００ｇ／１０分以下の溶融流量（ＦＭＲ）を有する、ポリマーブレンド；
（ｂ）重量で約１５％〜重量で約７５％の量での適合する粘着剤；
（ｃ）重量で約１％〜約３５％の可塑剤；
（ｄ）重量で約０．１％〜約３％の安定剤又は酸化防止剤；及び
（ｅ）随意に重量で約０％〜約２０％のワックス
を含む、ホットメルト接着剤組成物。
【請求項２】
前記半結晶性のＬＭＷ  ＳＳＣ−ＰＰポリマーが、プロピレンのホモポリマーである、請求項１に記載の組成物。
【請求項３】
前記半結晶性のＬＭＷ  ＳＳＣ−ＰＰポリマーが、プロピレンと以下の分子構造：
【化１】
2019508521.tif 000001
（式中、Ｒは水素Ｈ、又は４〜８個の炭素原子を有するアルキル又はアリールラジカルである）を有する少なくとも１つのα−オレフィンコモノマーのコポリマーである、請求項１に記載の組成物。
【請求項４】
前記α−オレフィンコモノマーが、エチレン、又はブテン−１又はヘキセン−１である、請求項３に記載の組成物。
【請求項５】
前記本質的にアモルファスのＨＭＷ  ＳＳＣ−ＰＰポリマーが、プロピレンのホモポリマーである、請求項１に記載の組成物。
【請求項６】
前記本質的にアモルファスのＨＭＷ  ＳＳＣ−ＰＰが、プロピレンと以下の分子構造：
【化２】
2019508521.tif 000002
（式中、Ｒは水素Ｈ、又は４〜８個の炭素原子を有するアルキル又はアリールラジカルである）を有する少なくとも１つのα−オレフィンコモノマーのコポリマーである、請求項１に記載の組成物。
【請求項７】
前記α−オレフィンコモノマーが、エチレン、ブテン−１又はヘキセン−１である、請求項６に記載の組成物。
【請求項８】
前記粘着剤が、脂肪族及び脂環式炭化水素樹脂及びそれらの水素化誘導体、水素化芳香族炭化水素樹脂、芳香族修飾脂肪族又は脂環式樹脂及びそれらの水素化誘導体、ポリテルペン及びスチレン化ポリテルペン樹脂からなる群から選択される、請求項１に記載の組成物。
【請求項９】
前記粘着剤が、Ｃ５脂肪族炭化水素樹脂、水素化Ｃ５樹脂、水素化Ｃ９樹脂及び水素化ＤＣＰＤ樹脂である、請求項８に記載の組成物。
【請求項１０】
前記粘着剤が、芳香族修飾Ｃ５樹脂、芳香族修飾水素化ＤＣＰＤ樹脂である、請求項８に記載の組成物。
【請求項１１】
前記可塑剤が、鉱油及び液体ポリブテンからなる群から選択される、請求項１に記載の組成物。
【請求項１２】
前記鉱油が、３０％未満の芳香族炭素原子を有する、請求項１１に記載の組成物。
【請求項１３】
前記接着剤組成物が、重量で最大２０％の量でワックスをさらに含む、請求項１に記載の組成物。
【請求項１４】
前記ワックスが、石油ワックス、低分子量ポリエチレン及びポリプロピレン、合成ワックス及びポリオレフィンワックスからなる群から選択される、請求項１３に記載の組成物。
【請求項１５】
前記ワックスが、約４００〜約６，０００ｇ／ｍｏｌの数平均分子量を有する低分子量ポリエチレンである、請求項１４に記載の組成物。
【請求項１６】
前記酸化防止剤が、ヒンダードフェノール化合物である、請求項１に記載の組成物。
【請求項１７】
前記接着剤組成物が、重量で最大６０％の量でフィラーをさらに含む、請求項１に記載の組成物。
【請求項１８】
前記フィラーが、タルク、炭酸カルシウム、粘土、シリカ、マイカ、珪灰石、長石、珪酸アルミニウム、アルミナ、水和アルミナ、ガラスミクロスフェア、セラミックミクロスフェア、熱可塑性ミクロスフェア、バライト及び木粉からなる群から選択される、請求項１７に記載の組成物。
【請求項１９】
前記接着剤組成物が、着色剤をさらに含む、請求項１に記載の組成物。
【請求項２０】
前記接着剤組成物が、別のポリマーをさらに含む、請求項１に記載の組成物。
【請求項２１】
（ａ）少なくとも１つの半結晶性のＬＭＷ  ＳＳＣ−ＰＰポリマーと、少なくとも１つの本質的にアモルファスのＨＭＷ  ＳＳＣ−ＰＰコポリマーとを含有するポリマーブレンドであって；前記ＬＭＷ  ＳＳＣ−ＰＰポリマー及び前記ＨＭＷ  ＳＳＣ−ＰＰコポリマーの両方がＳＳＣ触媒を用いることにより調製されるホモポリプロピレンか又はプロピレンとα−オレフィンコモノマーのコポリマーのいずれかであり；前記ポリマーブレンド中の前記ＬＭＷ  ＳＳＣ−ＰＰポリマー対前記ＨＭＷ  ＳＳＣ−ＰＰポリマーの重量比が９：１〜１：９の範囲であり、本発明の組成物中のポリマーブレンドの総量が重量で約２０％〜約８０％であり；前記ＬＭＷ  ＳＳＣ−ＰＰが約１０，０００ｇ／ｍｏｌｅ〜約１００，０００ｇ／ｍｏｌｅの重量平均分子量、約１８％〜約５０％の結晶化度、及び１９０℃で約８００ｍＰａ．ｓ〜約１００，０００ｍＰａ．ｓの範囲のブルックフィールド粘度を有し；かつ前記ＨＭＷ  ＳＳＣ−ＰＰポリマーが１００，０００ｇ／ｍｏｌｅよりも大きい重量平均分子量、及び約０％〜約１８％の結晶化度を有し、前記ＨＭＷ  ＰＰポリマーの分子量が前記ＬＭＷ  ＳＳＣ−ＰＰの分子量の少なくとも２倍である、ポリマーブレンド；
（ｂ）重量で約１５％〜重量で約７５％の量での適合する粘着剤；
（ｃ）重量で約１％〜約３５％の可塑剤；
（ｄ）重量で約０．１％〜約３％の安定剤又は酸化防止剤；及び
（ｅ）随意に重量で約０％〜約２０％のワックス
を含む、ホットメルト接着剤組成物。
【請求項２２】
前記ＨＭＷ  ＰＰポリマーの分子量が、前記ＬＭＷ  ＳＳＣ−ＰＰの分子量の少なくとも３倍である、請求項２１に記載の組成物。
【請求項２３】
前記ＨＭＷ  ＰＰポリマーの分子量が、前記ＬＭＷ  ＳＳＣ−ＰＰの分子量の少なくとも５倍である、請求項２２に記載の組成物。
【請求項２４】
前記半結晶性のＬＭＷ  ＳＳＣ−ＰＰポリマーが、重量で５％〜５０％の間の量で存在し、かつ前記本質的にアモルファスのＨＭＷ  ＳＳＣ−ＰＰポリマーが、１０％〜３０％の間の量で存在する、請求項２１に記載の組成物。
【請求項２５】
前記本質的にアモルファスのＨＭＷ  ＳＳＣ−ＰＰポリマーが、２０％〜５０％の間の量で存在する、請求項２１に記載の組成物。
【請求項２６】
請求項２１に記載のホットメルト接着剤組成物を溶融状態で一次基体に塗布するステップ；及び
二次基体を前記接着剤組成物と接触させることにより二次基体を前記第１の基体に接合するステップ
を含む、ラミネートを作製する方法。
【請求項２７】
前記接着剤が、ホットメルト塗布の直接接触方法を用いて前記一次基体に塗布される、請求項２６に記載の方法。
【請求項２８】
前記接着剤が、ホットメルトの非接触方法を用いて前記一次基体に塗布される、請求項２６に記載の方法。
【請求項２９】
前記一次基体が、弾性ストランドである、請求項２７に記載の方法。
【請求項３０】
前記一次基体が、弾性ストランドである、請求項２８に記載の方法。
【請求項３１】
前記一次基体が、不織布である、請求項２７に記載の方法。
【請求項３２】
前記一次基体が、不織布である、請求項２８に記載の方法。
【請求項３３】
前記二次基体が、前記弾性ストランドの周りに巻かれた不織布である、請求項２９に記載の方法。
【請求項３４】
前記二次基体が、ポリエチレンフィルムであり、かつ前記三次基体が、不織布である、請求項２９に記載の方法。
【請求項３５】
前記二次基体が、弾性フィルムである、請求項３１に記載の方法。
【請求項３６】
使い捨て物品における弾性レッグカフ、立ち上がっているレッグカフ又は弾性側部パネルとして用いられる、請求項２６に記載の方法により作製されるラミネート。
【請求項３７】
弾性レッグカフとして用いられる、請求項３６に記載のラミネート。
【請求項３８】
使い捨て物品上の弾性側部パネル又はストレッチイヤーとして用いられる、請求項２６に記載の方法により作製されるラミネート。
【請求項３９】
前記ＨＭＷ  ＰＰポリマーの分子量が、前記ＬＭＷ  ＳＳＣ−ＰＰの分子量の少なくとも２倍である、請求項１に記載の組成物。